(57)【要約】【課題】  印刷機の版胴に対する着けローラの押付け圧を調整するための着けローラ押付け圧調整装置及びオフセット輪転印刷機に関し、簡素な構成により、着けローラの版胴に対する押付け圧を調整できるようにする。【解決手段】  着けローラ１７ｃの軸端部に設けられたローラ支持軸１０ｃと、ローラ支持軸１００ｃにおける版胴８の胴端部外周面と向かい合う位置に、ローラ支持軸１００ｃの軸心に対し偏心してローラ支持軸１００ｃ周りに回転可能に設けられ、着けローラ１７ｃの版胴８への着状態時に版胴８の胴端部外周面に接触する偏心回転部１１０ｃと、偏心回転部１１０ｃを回転駆動する駆動機構１２０ｃとをそなえて構成する。【選択図】        図３
2005280152.tif 000002
【特許請求の範囲】
【請求項１】
印刷機の版胴に接する着けローラの押付け圧を調整するための着けローラ押付け圧調整装置であって、
該着けローラの軸端部に設けられたローラ支持軸と、
該ローラ支持軸における該版胴の胴端部外周面と向かい合う位置に、該ローラ支持軸の軸心に対し偏心して該ローラ支持軸周りに回転可能に設けられ、該着けローラの該版胴への着状態時に該版胴の胴端部外周面に接触する偏心回転部と、
該偏心回転部を回転駆動する駆動機構とをそなえた
ことを特徴とする、着けローラ押付け圧調整装置。
【請求項２】
該偏心回転部が、
該ローラ支持軸の軸心に対し偏心して該ローラ支持軸周りに回転可能に設けられた偏心ブシュと、
該偏心ブシュの外周にベアリングを介して設けられたフォローローラとを備えて構成されている
ことを特徴とする、請求項１記載の着けローラ押付け圧調整装置。
【請求項３】
該駆動機構が、
該偏心ブシュの外周における該フォローローラに近接した位置に固設されたウォームホイルと、
該ウォームホイルに歯合して設けられ、該ウォームホイルを該偏心ブシュと共に該ローラ支持軸周りに回転させるウォームとを備えて構成されている
ことを特徴とする、請求項２記載の着けローラ押付け圧調整装置。
【請求項４】
該着けローラの軸心と該ローラ支持軸の軸心とが該偏心ブシュの偏心量と略等しい偏心量を有して接続されるとともに、該着けローラ及び該ローラ支持軸の取り付け時に該着けローラの軸心に対する該ローラ支持軸の軸心の偏心方向と該偏心ブシュの偏心方向とが略等しい方向となるように設定される
ことを特徴とする、請求項２又は３記載の着けローラ押付け圧調整装置。
【請求項５】
該フォローローラの直径が、該着けローラの直径と略等しく設定されている
ことを特徴とする、請求項１〜４の何れか１項に記載の着けローラ押付け圧調整装置。
【請求項６】
印刷機の版胴及びブランケット胴の直径を異なるものに交換可能なオフセット輪転印刷機であって、
請求項１〜５の何れか１項に記載の着けローラ押付け圧調整装置を備えた
ことを特徴とする、オフセット輪転印刷機。
【発明の詳細な説明】
【技術分野】
【０００１】
本発明は、印刷機の版胴に対する着けローラの押付け圧を調整するための着けローラ押付け圧調整装置、及び、上記着けローラ押付け圧調整装置を備えたオフセット輪転印刷機に関するものである。
【背景技術】
【０００２】
図９に示すように、一般にオフセット輪転印刷機では、給紙装置１に取り付けられたロール状のウェブ（紙）１１をインフィード装置２により繰り出し、印刷装置３で印刷を行なう。印刷装置３は複数の印刷ユニット７ａ，７ｂ，７ｃ，７ｄ（特に区別しない場合は符号７で示す）からなり、多色印刷を行なう場合には印刷ユニット７は印刷色数だけ設けられる。印刷装置３で印刷されたウェブ１１は、ドライヤ装置５１，冷却装置５２，ウェブパス装置５３を通って折機６へ搬送されて折機６で折帳が作成される。
【０００３】
図１０に示すように、印刷ユニット７は、印刷画像が形成された版が装着される版胴８と、版胴８にインキを供給するインキ装置１０と、版胴８に湿し水を供給する湿し装置１２と、版胴８に装着された版の画像をウェブ１１に転写する転写胴であるブランケット胴９とを主に備えて構成されている。
インキ装置１０は、インキ受理性の良い硬い表面を有するローラと、ゴムなどの弾性材で表面を覆われたローラとが組み合わされて構成されている。版胴８には、紙流れ方向上流側から順に第１着けローラ１７ａ，第２着けローラ１７ｂ，第３着けローラ１７ｃの複数の着けローラが設けられており、これらの着けローラ１７ａ，１７ｂ，１７ｃにより往復ローラ１９，１９表面のインキが版胴８表面に供給される。また、湿し装置１２からの湿し水は水着けローラ１７ｗにより版胴８表面に供給される。なお、以下では、第１着けローラ１７ａ，第２着けローラ１７ｂ，第３着けローラ１７ｃ，水着けローラ１７ｗを単に着けローラともいい、特に区別しない場合は符号１７で示す。また、図１０では両面印刷の印刷ユニット７を示しており、ウェブ１１の下側にも上記と同様の版胴８，ブランケット胴９，インキ装置１０，湿し装置１２が設けられている。
【０００４】
ところで、ブランケット胴９に対する版胴８の押付け圧や、版胴８に対する着けローラ１７の押付け圧は、印刷の品質に大きく影響するので調整ができるようになっている。特に、版胴８に対する着けローラ１７の押付け圧の調整は相対位置の変動により必要になる。このような相対位置の変動には、版胴８のスキューや版胴８の直径変更などがある。
版胴８のスキューとは、一般に高級多色印刷をする際に行なわれるもので、版胴８に装着された版が基準画像に対して斜めにずれている場合、例えば図１１に示す矢印Ｙの方向に版胴８の一方の軸をずらして版のずれを補正することをいう。
【０００５】
また、通常、オフセット輪転印刷機では印刷物の大きさを変える場合、印刷物の幅は紙の幅を変えることにより変更できるが、印刷物の長さは版胴８の一周の長さであり変更することができない。これは、枚葉印刷機が印刷物の幅及び長さの両方を自由に変えることができるのに対して輪転印刷機の大きな欠点の１つとなっている。そこで、この欠点を解消するため、印刷胴、即ち版胴８やブランケット胴９の直径を異なるものに交換し、印刷長さを変更する技術が開発されている。
【０００６】
しかし、上述したように版胴８のスキューや版胴８の直径を変更した場合、版胴８に対する着けローラ１７の押付け圧が変化してしまう。このため、従来のオフセット輪転印刷機には、版胴８に対する着けローラ１７の押付け圧を調整するための着けローラ押付け圧調整装置が備えられている。着けローラ押付け圧調整装置は、第１着けローラ１７ａ，第２着けローラ１７ｂ、第３着けローラ１７ｃ及び水着けローラ１７ｗのそれぞれに備えられている。ここでは一例として第３着けローラ１７ｃの着けローラ押付け圧調整装置について図１１及び図１２を参照しながら説明する。
【０００７】
なお、第１着けローラ１７ａ，第２着けローラ１７ｂ及び水着けローラの各調整装置も同様の構造で構成されているので、ここでは説明を省略する。また、図１１及び図１２に示す符号の添え字ａ，ｂ，ｃは第１着けローラ１７ａ，第２着けローラ１７ｂ，第３着けローラ１７ｃに対応した調整装置の構成要素であることを示している。
図１１及び図１２に示すように、第３着けローラ（単に着けローラという）１７ｃには、着けローラ１７ｃにインキを受け渡す往復ローラ１９が接触している。往復ローラ１９の軸受２５はサイドフレーム１３に取り付けられており、この軸受２５の外周に偏心ブシュ２４ｃが設けられている。偏心ブシュ２４ｃの外周には、着けローラ１７ｃを支持するローラ支持アーム２０ｃの一端が回動可能に取り付けられている。
【０００８】
また、ローラ支持アーム２０ｃの他端にはローラ支持体１５ｃが固設されており、着けローラ１７ｃの軸１８ｃがキャップ１６ｃによりローラ支持体１５ｃに支持されている。そして、偏心ブシュ２４ｃを軸受２５周りに適宜の量だけ回転させることにより、着けローラ１７ｃと往復ローラ１９との間の距離を変化させることができ、着けローラ１７ｃと往復ローラ１９との間の押付け圧を調整できるようになっている。
【０００９】
また、ローラ支持アーム２０ｃにはピン２３ｃが固設されており、このピン２３に回動可能に略円弧状のレバー２２ｃの一端が取り付けられている。レバー２２ｃの他端には、雄ねじ軸３０ｃの先端が当接している。雄ねじ軸３０ｃは、ローラ支持アーム２０ｃに設けられた雌ねじ軸２９ｃと螺合しており、雄ねじ軸３０ｃを回すことで、雄ねじ軸３０ｃの先端がレバー２２ｃの他端を版胴８側へ押すようになっている。
【００１０】
版胴８の軸受２６はサイドフレーム１３に取り付けられており、この軸受２６には、版胴８の軸心と同心の円弧状のカム２７が固設されている。そして、レバー２２ｃの外径部分であるカム接触部２１ｃが、版胴８のカム２７と接触するようになっている。
また、ローラ支持アーム２０ｃには、ローラ支持アーム２０ｃを回動させて着けローラ１７ｃを版胴８に対して着脱するための着脱用突起９０ｃが形成されている。ローラ支持アーム２０ｃは、図１１に矢印Ｌで示すように、着けローラ着脱装置（図示省略）により軸受２５の軸周りに回動できるようになっており、着けローラ１７ｃと往復ローラ１９との間の押付け圧を変化させることなく着けローラ１７ｃを版胴８に対して着脱できるようになっている。なお、図１２に示す符号８３は、版胴８表面に装着された版である。
【００１１】
さらに、ローラ支持アーム２０ｃが版胴８側に回動されたとき、ローラ支持アーム２０ｃに取り付けられているレバー２２ｃのカム接触部２１ｃが、版胴８に取り付けられているカム２７に接触することにより、着けローラ１７ｃの位置決めが行われ、版胴８に対する着けローラ１７ｃの押付け圧が調整される。
また、版胴８のスキューは、版胴８の軸受２６を図１１に示す矢印Ｙ方向に移動させることにより行なうが、軸受２６のカム２７は版胴８の軸中心と同心のまま移動するので、版胴８に対する着けローラ１７ｃの押付け圧は変化しない。
【００１２】
また、上述したような従来の着けローラ押付け圧調整装置に近い技術が、例えば特許文献１や特許文献２などに開示されている。
【特許文献１】特開平１１−１０５２６２号公報
【特許文献２】実用新案登録第２５７２１０１号公報
【発明の開示】
【発明が解決しようとする課題】
【００１３】
しかしながら、上述した従来の着けローラ押付け圧調整装置では、版胴８の直径を変えた場合、その版胴８の直径に対応したカム２７を版胴８の軸受２６に取り付ける必要があり、また、版胴８の直径の種類に対応した複数のカム２７を用意しておかなければならない。さらに、カム２７は印刷装置３内の狭い設置スペースに取り付けられるものであり、周囲には多くのローラ等があるため、カム交換作業は非常に困難である。
【００１４】
本発明は、このような課題に鑑み創案されたもので、簡素な構成により、着けローラの版胴に対する押付け圧を調整できるようにした、着けローラ押付け圧調整装置及びオフセット輪転印刷機を提供することを目的とする。
【課題を解決するための手段】
【００１５】
このため、請求項１記載の本発明の着けローラ押付け圧調整装置は、印刷機の版胴に接する着けローラの押付け圧を調整するための着けローラ押付け圧調整装置であって、該着けローラの軸端部に設けられたローラ支持軸と、該ローラ支持軸における該版胴の胴端部外周面と向かい合う位置に、該ローラ支持軸の軸心に対し偏心して該ローラ支持軸周りに回転可能に設けられ、該着けローラの該版胴への着状態時に該版胴の胴端部外周面に接触する偏心回転部と、該偏心回転部を回転駆動する駆動機構とをそなえたことを特徴としている。
【００１６】
請求項２記載の本発明の着けローラ押付け圧調整装置は、請求項１記載の装置において、該偏心回転部が、該ローラ支持軸の軸心に対し偏心して該ローラ支持軸周りに回転可能に設けられた偏心ブシュと、該偏心ブシュの外周にベアリングを介して設けられたフォローローラとを備えて構成されていることを特徴としている。
請求項３記載の本発明の着けローラ押付け圧調整装置は、請求項２記載の装置において、該駆動機構が、該偏心ブシュの外周における該フォローローラに近接した位置に固設されたウォームホイルと、該ウォームホイルに歯合して設けられ、該ウォームホイルを該偏心ブシュと共に該ローラ支持軸周りに回転させるウォームとを備えて構成されていることを特徴としている。
【００１７】
請求項４記載の本発明の着けローラ押付け圧調整装置は、請求項２又は３記載の装置において、該着けローラの軸心と該ローラ支持軸の軸心とが該偏心ブシュの偏心量と略等しい偏心量を有して接続されるとともに、且つ、該着けローラ及び該ローラ支持軸の取り付け時に該着けローラの軸心に対する該ローラ支持軸の軸心の偏心方向と該偏心ブシュの偏心方向とが略等しい方向となるように設定されることを特徴としている。
【００１８】
請求項５記載の本発明の着けローラ押付け圧調整装置は、請求項１〜４の何れか１項に記載の装置において、該フォローローラの直径が、該着けローラの直径と略等しく設定されていることを特徴としている。
請求項６記載の本発明のオフセット輪転印刷機は、印刷機の版胴及びブランケット胴の直径を異なるものに交換可能なオフセット輪転印刷機であって、請求項１〜５の何れか１項に記載の着けローラ押付け圧調整装置を備えたことを特徴としている。
【発明の効果】
【００１９】
本発明の着けローラ押付け圧調整装置及びオフセット輪転印刷機によれば、着けローラの版胴への着状態時に、駆動機構により偏心回転部を回転駆動させるという簡素な構成により、版胴に対する着けローラの押付け圧を調整することができる。また、一度押付け圧を調整しておけば、その後版胴をスキューさせたり版胴の直径を大幅に変えたりした場合でも、版胴に対する着けローラの押付け圧の変化がないため、押付け圧を再調整する必要がなく、作業を大幅に容易化することができる。
【発明を実施するための最良の形態】
【００２０】
以下、図面を参照しながら本発明の実施形態について説明する。
図１〜図５は、本発明の一実施形態に係る着けローラ押付け圧調整装置を説明するための図であって、図１はその側面図、図２は図１に示す版胴スリーブよりも大径の版胴スリーブを装着したときの状態を示す側面図、図３は図１に示す版胴８，第３着けローラ１７ｃ，往復ローラ１９について図１中の矢印Ａの方向から見た正面図、図４は図３のＺ部拡大図、図５は模式的な分解斜視図である。なお、前述した従来のものと同一の部位又は部材については同一の符号を付して示し、従来技術と重複する説明は省略する。また、図１及び図２中、往復ローラ１９，１９の上方に二点鎖線で示す３つのローラはそれぞれインキローラである。
【００２１】
図１に示すように、本実施形態に係る着けローラ押付け圧調整装置は、オフセット輪転印刷機の印刷装置の版胴８に接触してインキを供給する第１着けローラ１７ａ，第２着けローラ１７ｂ，第３着けローラ１７ｃのそれぞれに備えられている。以下では、その代表例として、インキ装置１０の第３着けローラ１７ｃに備えられた着けローラ押付け圧調整装置について説明する。
【００２２】
なお、第１着けローラ１７ａ及び第２着けローラ１７ｂに備えられた着けローラ押付け圧調整装置についての説明はここでは省略するが、本実施形態に係る着けローラ押付け圧調整装置と同様の構造で構成されている。また、印刷装置には版胴８に湿し水を供給する水着けローラ（図示省略）も備えられているが、この水着けローラにも本実施形態に係る着けローラ押付け圧調整装置を備えることももちろん可能である。さらに、本実施形態の説明で用いる図面中の符号の添え字ａ，ｂ，ｃは第１着けローラ１７ａ，第２着けローラ１７ｂ，第３着けローラ１７ｃに対応した調整装置の構成要素であることを示している。
【００２３】
図１に示すように、本実施形態に係る版胴８は、版胴本体８１と、版胴本体８１の外周に抜き取り交換可能に装着された版胴スリーブ８２とを備えて構成されている。印刷画像が形成された版８３は版胴スリーブ８２の表面に装着される。
第３着けローラ（以下、単に着けローラという）１７ｃには、着けローラ１７ｃにインキを受け渡す往復ローラ１９が接触している。また、図３に示すように、往復ローラ１９の軸受２５はサイドフレーム１３に取り付けられており、この軸受２５の外周に偏心ブシュ２４ｃが設けられている。偏心ブシュ２４ｃの外周には、着けローラ１７ｃを支持するローラ支持アーム１４ｃの一端が回動可能に取り付けられている。
【００２４】
また、図４に示すように、ローラ支持アーム１４ｃの他端には、ローラ支持アーム１４ｃと垂直なローラ支持軸１００ｃが固設されている。着けローラ１７ｃの軸（軸端部）１８ｃはキャップ１６ｃによりローラ支持体１５ｃに支持されており、このローラ支持体１５ｃにローラ支持軸１００ｃの一端部が固定されている。また、着けローラ１７ｃの軸１８ｃとローラ支持軸１００ｃの軸心とはδ1だけ偏心している。
【００２５】
図１に示すように、ローラ支持アーム１４ｃには、ローラ支持アーム１４ｃを回動させて着けローラ１７ｃを版胴８に対して着脱するための着脱用突起９０ｃが形成されている。ローラ支持アーム１４ｃは、図１に矢印Ｌで示すように、着けローラ着脱装置（図示省略）により軸受２５周りに回動するようになっており、これにより、着けローラ１７ｃと往復ローラ１９との押付け圧を変化させることなく着けローラ１７ｃを版胴８に対して着脱できるようになっている。
【００２６】
また、図３及び図４に示すように、ローラ支持軸１００ｃにおける版胴８の胴端部外周面と向かい合う位置には、ローラ支持軸１００ｃの軸心に対し偏心してローラ支持軸１００ｃ回り（周方向）に回転しうる偏心回転部１１０ｃが設けられている。偏心回転部１１０ｃは、ローラ支持軸１００ｃの軸心に対し偏心してローラ支持軸１００ｃ周りに回転可能に設けられた偏心ブシュ３１ｃと、偏心ブシュ３１ｃの外周にベアリング３５ｃを介して設けられたフォローローラ３４ｃとを備えて構成されている。
【００２７】
ここでは、偏心ブシュ３１ｃは、ローラ支持軸１００ｃにおけるローラ支持体１５ｃに近接した位置に嵌合されており、ローラ支持軸１００ｃの軸方向位置が固定されている。また、偏心ブシュ３１ｃの内径（ローラ支持軸１００ｃの外径と嵌合する内壁）中心は、偏心ブシュ３１ｃの外径中心に対してδ2だけ偏心している。フォローローラ３４ｃは環状に形成されているとともに、その外径が着けローラ１７ｃの外径と略等しく形成されている。また、着けローラ１７ｃの版胴８への着状態時にフォローローラ３４ｃの外周面が版胴８の表面（即ち、版胴スリーブ８２の表面）に接するようになっている。
【００２８】
また、このような偏心回転部１１０ｃを回転駆動する駆動機構１２０ｃも備えられている。駆動機構１２０ｃは、偏心ブシュ３１ｃの外周におけるフォローローラ３４ｃに近接した位置に固設されたウォームホイル３７ｃと、ウォームホイル３７ｃに歯合して設けられ、ウォームホイル３７ｃをローラ支持軸１００ｃ周りに回転させるウォーム３２ｃとを備えて構成されている。
【００２９】
具体的には、図４に示すように、偏心ブシュ３１ｃには、サイドフレーム１３側へ突設された突設部１１５ｃが形成されており、この突設部１１５ｃの外周にウォームホイル３７ｃが加工又は組み付けられている。また、突設部１１５ｃの外径中心と内径中心とは等しく設定されている。
さらに、ウォーム３２ｃは、図示省略の駆動装置により回転駆動できるようになっている。また、ウォーム３２ｃに近接した位置には、ウォーム３２ｃを支持するためのウォーム支持装置３３ｃが備えられている。ウォーム支持装置３３ｃには、ウォーム３２ｃを手動で回転させるための工具取付け穴や、ウォーム３２ｃのガタをなくすためのばねが組込まれている。
【００３０】
また、図５及び図６（ａ）に示すように、偏心ブシュ３１ｃの偏心量〔即ち、偏心ブシュ３１ｃの内径中心（ローラ支持軸１００ｃの軸心）と偏心ブシュ３１ｃの外径中心との間の距離〕δ２と、着けローラ１７ｃの軸端部にローラ支持軸１００ｃを取り付ける際の偏心ブシュ３１ｃの偏心方向〔即ち、偏心ブシュ３１ｃの外径中心から偏心ブシュ３１ｃの内径中心（ローラ支持軸１００ｃの軸心）へ向かう方向〕は、版胴８に対する着けローラ１７ｃの押付け量（調整すべき量）や調整のし易さなどを考慮して予め設定しておけばよい。
【００３１】
好ましくは、上記の偏心ブシュ３１ｃの偏心量δ2を、着けローラ１７ｃの軸１８ｃとローラ支持軸１００ｃの軸心との間の偏心量δ1と略等しく設定し、且つ、上記の偏心ブシュ３１ｃの偏心方向を、着けローラ１７ｃの軸心に対するローラ支持軸１００ｃの軸心の偏心方向と略等しく設定するのがよい。
このように、着けローラ１７ｃの軸心とローラ支持軸１００ｃの軸心との偏心量δ1を、偏心ブシュ３１ｃの偏心量δ2と略等しく設定しておくと、偏心ブシュ３１ｃを回転させても、フォローローラ３４ｃの外径中心と着けローラ１７ｃの軸心とのずれが発生しにくい。したがって、版胴８の直径が大幅に変化しても、フォローローラ３４ｃを版胴８表面に追随させておけば版胴８に対する着けローラ１７ｃの押付け圧変化は殆ど無いため、一度版胴８に対する着けローラ１７ｃの押付け圧を正確に調整しておけば、その後版胴８の直径が変わっても再調整をする必要がなくなる。
【００３２】
本発明の一実施形態としての着けローラ押付け圧調整装置は、上述のごとく構成されているので、例えば図１に示す版胴スリーブ８２を、図２に示すさらに大径の版胴スリーブ８２に交換する場合には、以下に説明するように作用する。なお、上記と同様に、代表例として第３着けローラ１７ｃの着けローラ押付け圧調整装置の作用について説明するが、第１着けローラ１７ａ，第２着けローラ１７ｂ及び水着けローラ（図示省略）の着けローラ押付け圧調整装置も同様に作用するので、ここでは説明を省略する。
【００３３】
まず、図１に示す状態では、偏心ブシュ２４ｃを軸受２５周りに微小回転させながら、着けローラ１７ｃと往復ローラ１９との接触圧を調整することができる。また、駆動機構１２０ｃにより偏心ブシュ３１ｃをローラ支持軸１００ｃ周りに微小回転させながら、着けローラ１７ｃと版胴８との接触圧（即ち押付け圧）を調整することができる。このように各接触圧を調整した後、印刷を行う。
【００３４】
そして、例えば図１に示す版胴スリーブ８２を、図２に示すさらに大径の版胴スリーブ８２に交換する場合、印刷を停止した後、ローラ支持アーム１４ｃの着脱用突起９０ｃを操作して（図１の上方向へ動かして）着けローラ１７ｃを版胴８表面に対して脱状態とする。このとき、着けローラ１７ｃと往復ローラ１９との間の接触圧は維持された状態である。
【００３５】
版胴スリーブ８２を交換した後、ローラ支持アーム１４ｃの着脱用突起９０ｃを操作して（図１の下方向へ動かして）着けローラ１７ｃを版胴８表面に対して着状態とする。このときも、着けローラ１７ｃと往復ローラ１９との間の接触圧は維持された状態である。また、版胴８に対する着けローラ１７ｃの押付け圧の調整については、版胴スリーブ８２の交換前にすでに一度調整が行われているので、再度偏心ブシュ３１ｃを微小回転させて調整する必要はない。つまり、一度、版胴８に対する着けローラ１７ｃの押付け圧を調整しておけば、着けローラ１７ｃの版胴８への着状態時には、常に、版胴８の表面とフォローローラ３４ｃの軸心との間の距離は一定であるので、フォローローラ３４ｃが版胴８表面に接触すれば、版胴８に対する着けローラ１７ｃの押付け圧の調整は完了となる。
【００３６】
ここで、着けローラ１７ｃの軸心とローラ支持軸１００ｃの軸心とをδ1だけ偏心させたことによる効果について、図６（ａ），図６（ｂ），図７（ａ）及び図７（ｂ）を参照しながら説明する。図６（ａ）は、本実施形態で説明したように、着けローラ１７ｃの軸心とローラ支持軸１００ｃの軸心とをδ1だけ偏心させた場合、図６（ｂ）は、着けローラ１７ｃの軸心とローラ支持軸１００ｃの軸心とを偏心させない場合（即ち、偏心量δ1がゼロの場合）を示している。また、図７（ａ）は図６（ａ）の場合の着けローラ１７ｃと版胴８との接触状態を示す模式図、図７（ｂ）は図６（ｂ）の場合の着けローラ１７ｃと版胴８との接触状態を示す模式図である。
【００３７】
図６（ｂ）に示すように偏心量δ1がゼロの場合には、図７（ｂ）に示すように、版胴スリーブ８２に対するフォローローラ３４ｃの接触位置と、版胴スリーブ８２に対する着けローラ１７ｃの接触位置とが、二点鎖線で示す版胴スリーブ８２の円周方向でずれており、実線で示すさらに大径の版胴スリーブ８２を版胴本体８１に装着した場合には、版胴スリーブ８２に対するフォローローラ３４ｃの接触位置が変わり、版胴スリーブ８２に対する着けローラ１７ｃの押付け圧が符号Ｒで示した分だけ大きくなる。
【００３８】
一方、図６（ａ）に示す本実施形態のように偏心量δ1と偏心量δ2とを略等しく、且つ、着けローラ１７ｃの軸心に対するローラ支持軸１００ｃの偏心方向と偏心ブシュ３１ｃの偏心方向とを同一方向に設定しておけば、版胴スリーブ８２を異なる径のものに変えたり版胴８をスキューさせたりしたことにより版胴スリーブ８２に対するフォローローラ３４ｃの接触位置が変わっても、版胴８に対する着けローラ１７ｃの押付け圧が変化することがないのである。
【００３９】
したがって、例えば図８に示すように、版胴８′が版胴８のように直径が大きくなった場合には、二点鎖線で示す着けローラ１７ａ′，１７ｂ′，１７ｃ′，１７ｗ′が、実線で示す着けローラ１７ａ，１７ｂ，１７ｃ，１７ｗの位置に移動するが、本実施形態のように設定しておけば、版胴８に対する各着けローラ７ａ，１７ｂ，１７ｃ，１７ｗの押付け圧は変化することがない。
【００４０】
上述したように、本実施形態に係る着けローラ押付け圧調整装置によれば、着けローラ１７ｃの版胴８への着状態時に、駆動機構１２０ｃにより偏心回転部１１０ｃを回転駆動させるという簡素な構成で、版胴８に対する着けローラ１７ｃの押付け圧を調整することができる。
また、一度押付け圧を調整しておけば、その後版胴８をスキューさせたり版胴８の直径を変えたりした場合でも、版胴８に対する着けローラ１７ｃの押付け圧の変化がないため、押付け圧を再調整する必要がなく、作業を大幅に容易化することができる。つまり、従来のようなカム交換作業や、カムの保管に要する場所が必要なく、また、カム保管などにかかる費用を削減できる。
【００４１】
以上、本発明の実施形態について説明したが、本発明は上記の実施形態に限定されるものではなく、本発明の趣旨を逸脱しない範囲で種々変形して実施することができる。
例えば、本実施形態では、代表例として第３着けローラ１７ｃの着けローラ押付け圧調整装置について説明したが、第１着けローラ１７ａ，第２着けローラ１７ｂ，着けローラ１７ｗにも備えられることはいうまでもない。
【００４２】
また、本実施形態では、版胴スリーブ８２を交換することで版胴８の径を変えるものについて説明したが、特にこの形式に限定されず、版胴８そのものを交換するような形式であってもよい。
【図面の簡単な説明】
【００４３】
【図１】本発明の一実施形態に係る着けローラ押付け圧調整装置を模式的に示す側面図である。
【図２】本発明の一実施形態に係る着けローラ押付け圧調整装置を模式的に示す図であって、図１に示す版胴スリーブよりも大径の版胴スリーブを装着したときの状態を示す側面図である。
【図３】本発明の一実施形態に係る着けローラ押付け圧調整装置を模式的に示す図であって、図１に示す版胴８，第３着けローラ１７ｃ，往復ローラ１９について図１中の矢印Ａの方向から見た正面図である。
【図４】図３のＺ部拡大図である。
【図５】本発明の一実施形態に係る着けローラ押付け圧調整装置の機構を説明するための模式的な分解斜視図である。
【図６】本発明の一実施形態に係るローラ支持軸の偏心状態を説明するためのもので、（ａ）は着けローラの軸心に対してδ1だけ偏心させた場合の模式図、（ｂ）は偏心させない場合の模式図である。
【図７】本発明の一実施形態に係る着けローラと版胴との接触状態を説明するためのもので、（ａ）は図６（ａ）の場合の接触状態を示す模式図、（ｂ）は図６（ｂ）の場合の接触状態を示す模式図である。
【図８】版胴直径が変化した時の着けローラの位置変動を示す模式図である。
【図９】一般的なオフセット輪転印刷機を模式的に示す側面図である。
【図１０】一般的なオフセット輪転印刷機に設けられた印刷装置を模式的に示す側面図である。
【図１１】従来の着けローラ押付け圧調整装置を模式的に示す側面図である。
【図１２】従来の着けローラ押付け圧調整装置を模式的に示す図であって、図１１に示す版胴８，第３着けローラ１７ｃ，往復ローラ１９について図１１中の矢印Ｂの方向から見た正面図である。
【符号の説明】
【００４４】
１  給紙装置
２  インフィード装置
３  印刷装置
６  折機
７ａ，７ｂ，７ｃ，７ｄ  印刷ユニット
８  版胴
９  ブランケット胴
１０  インキ装置
１１  ウェブ
１２  湿し装置
１３  サイドフレーム
１４ａ，１４ｂ，１４ｃ  ローラ支持アーム
１５ａ，１５ｂ，１５ｃ  ローラ支持体
１６ａ，１６ｂ，１６ｃ  キャップ
１７ａ，１７ｂ，１７ｃ，１７ｗ  着けローラ
１８ａ，１８ｂ，１８ｃ  軸
１９  往復ローラ
２０ａ，２０ｂ，２０ｃ  ローラ支持アーム
２１ａ，２１ｂ，２１ｃ  カム接触部
２２ａ，２２ｂ，２２ｃ  レバー
２３ｂ，２３ｃ  ピン
２４ａ，２４ｂ，２４ｃ  偏心ブシュ
２５  往復ローラ軸受
２６  版胴軸受
２７  カム
２９ｃ  雌ねじ軸
３０ｃ  雄ねじ軸
３１ｃ  偏心ブシュ
３７ｃ  ウォームホイル
３２ａ，３２ｂ，３２ｃ  ウォーム
３３  ウォーム支持装置
３４ａ，３４ｂ，３４ｃ  フォローローラ
３５ｃ  ベアリング
５１  ドライヤ装置
５２  冷却装置
５３  ウェブパス装置
８１  版胴本体
８２  版胴スリーブ
８３  版
９０ａ，９０ｂ，９０ｃ  着脱用突起
１００ｃ  ローラ支持軸
１１０ｃ  偏心回転部
１１５ｃ  突設部
１２０ｃ  駆動機構
【図１】
2005280152.tif 000003
【図２】
2005280152.tif 000004
【図３】
2005280152.tif 000005
【図４】
2005280152.tif 000006
【図５】
2005280152.tif 000007
【図６】
2005280152.tif 000008
【図７】
2005280152.tif 000009
【図８】
2005280152.tif 000010
【図９】
2005280152.tif 000011
【図１０】
2005280152.tif 000012
【図１１】
2005280152.tif 000013
【図１２】
2005280152.tif 000014